(57)【要約】【課題】電源電圧を１種類に統一すること。【解決手段】通信を行う通信処理部４から受信したデータの解析処理や通信処理部４から送信するデータを作成するデータ処理部５と、ガスメータなどの端末機器１１からのデータの受信・送信処理を行うデータ処理部５に接続されたメータインタフェース部６が設けられ、さらに端末機器１１から受信データを扱う受信バッファ８と、この端末機器１１への送信データを扱う送信バッファ７と、各部に電源を供給する電池９と、送信バッファ７によりデータ送信実行時に電池９の電圧を昇圧して送信バッファ９に電源を供給する昇圧回路部１２が設けられている。これによって回路電源を電池９の電圧にすることが可能になるので電源電圧を１種類に統一することができる。【選択図】　図１
2004096672.tif 000002
【特許請求の範囲】
【請求項１】
電話回線など通信を行う通信処理部と、前記通信処理部から受信したデータの解析処理や前記通信処理部から送信するデータを作成するデータ処理部と、ガスメータなどのメータからのデータの受信・送信処理を行う前記データ処理部に接続されたメータインタフェース部と、前記メータからの受信データを扱う受信バッファと、前記メータへの送信データを扱う送信バッファと、前記各部に電源を供給する電池と、前記送信バッファによりデータ送信実行時に前記電池の電圧を昇圧して前記送信バッファに電源を供給する昇圧回路部とを備え得た通信装置。
【請求項２】
昇圧回路部はデータの出力ビットに同期してコンデンサの充電電圧を電池に重畳するように構成した請求項１記載の通信装置。
【請求項３】
昇圧回路の動作をデータ出力より早いタイミングで動作するように構成した請求項１記載の通信装置。
【請求項４】
昇圧回路の動作をデータの１ビットのデータ間で複数回行うように構成した請求項１記載の通信装置。
【請求項５】
昇圧回路の動作をデータの１ビットのデータ間で複数回行うと共に、データ出力より早いタイミングで動作させるよう構成した請求項１記載の通信装置。
【請求項６】
昇圧回路の動作を出力データを送信している間行うように構成した請求項１記載の通信装置。
【発明の詳細な説明】
【０００１】
【発明の属する技術分野】
本発明は回線とメータなどの端末機器との間にせつぞくされて機能する通信装置に関する。
【０００２】
【従来の技術】
図９に従来の通信装置のブロック図を示す。１は通信装置であり端子Ｌ１、Ｌ２を介して電話回線２に接続され、その入力は電話回線２との直流インピーダンスや交流インピーダンスの整合制御や電話回線２の極性反転検出などを行う通信処理部４に接続される。また、通信処理部４には電話機３が接続される端子Ｔ１，Ｔ２と端子Ｌ１，Ｌ２との接続・切断を行う図示はしないがリレーや、モデム信号やＤＴＭＦ信号の送出・受信を行うモデムにより構成されている。また、通信処理部４にはデータ処理部５が接続され通信処理部４からの受信データの処理や送信データの生成を行う。
【０００３】
更に、端子Ｍ１，Ｍ２には図示はしないがガスメータなどの端末機器１１が接続され、メータインタフェース部６を介してデータ処理部６に接続される。この端末機器１１は通信装置１を動作させる電圧より高い電圧でデータを送信しなければデータとして認識されないような構成になっていることが多い。また、端末機器１１からのデータ受信用の受信バッファ８、端末機器へのデータ出力用の送信バッファ７が接続されている。また、前記各回路の４ａ、５ａ、６ａ、８ａへは電池９から電源が供給されると共に、送信バッファ７には電池９と電池１０の加算された電圧が１０ａより供給されている。
【０００４】
上記構成において、通信処理部４が電話回線２の極性反転を検出すると、通信処理部４を所定のインピーダンスに設定し、モデムを動作させ、ノーリンギング信号の受信処理やその後のデータ通信を行うことが可能である。通信処理部４で受信したデータはデータ処理部５により電文の解析が行われ、必要に応じてメータインタフェース部６、送信バッファ７を介して端末機器１１へデータが送信される。また、このデータ送信に応答して端末機器１１からデータが送信され所定の動作を行うよう構成されている。
【０００５】
図１０（ａ）、（ｂ）、（ｃ）に上記動作時の各部の波形を示す。図１０（ａ）はメータインタフェース部６の出力端子６ｂの出力波形、図１０（ｂ）は送信バッファ７の出力端子７ｃの出力波形であり、この送信バッファ７によりデータのハイレベルは電池９の電圧に近いＶ１の電圧が電池９と電池１０の和の電圧に近いＶ２になっている。従って、前記した端末機器１１にハイレベル電圧の高いデータを送信することができ、端末機器との通信が可能となる。また、図１０（ｃ）はメータインタフェース部６の入力端子６ｃの波形であり端末機器１１からの応答信号を表している。
【０００６】
【発明が解決しようとする課題】
しかしながら、従来の通信装置では端末機器へのデータの電圧値を上げるために複数の電池を直列に使用して回路を構成しなければならないという課題がある。本発明はこのような従来の課題を解決するものであり、複数の電池を使用しない通信装置を提供することを目的とする。
【０００７】
【課題を解決するための手段】
上記課題を解決するために本発明は、電話回線などと通信を行う通信処理部と、前記通信処理部から受信したデータの解析処理や前記通信処理部から送信するデータを作成するデータ処理部と、ガスメータなどのメータからのデータの受信・送信処理を行う前記データ処理部に接続されたメータインタフェース部と、前記メータからの受信データを扱う受信バッファと、前記メータへの送信データを扱う送信バッファと、前記各部に電源を供給する電池と、前記送信バッファによりデータ送信実行時に前記電池の電圧を昇圧して前記送信バッファに電源を供給する昇圧回路部とを備えたものである。
【０００８】
すなわち端末機器へのデータ送信をする場合に送信バッファに電池の電圧を昇圧した電圧を供給する昇圧回路を設けたものである。本発明によれば昇圧回路により電源の電圧を１種類に統一することが可能となる。
【０００９】
【発明の実施の形態】
上記の課題を解決するために、電話回線などと通信を行う通信処理部と、通信処理部から受信したデータの解析処理や通信処理部から送信するデータを作成するデータ処理部と、ガスメータなどのメータからのデータの受信・送信処理を行うデータ処理部に接続されたメータインタフェース部と、メータからの受信データを扱う受信バッファと、メータへの送信データを扱う送信バッファと、各部に電源を供給する電池と、送信バッファによりデータ送信実行時に電池の電圧を昇圧して送信バッファに電源を供給する昇圧回路部を備えることにより回路の電源電圧を１種類にすることが可能となる。
【００１０】
また、昇圧回路部をデータの出力ビットに同期してコンデンサの充電電圧を前記電池に重畳させることにより簡略な回路で構成することが可能になる。
【００１１】
また、昇圧回路の動作をデータ出力より早いタイミングで動作させるようにすることにより送信データの出力遅延を低減することが可能となる。
【００１２】
また、昇圧回路の動作をデータの１ビットのデータ間で複数回行うよう構成することにより、送信データの電圧を安定化させることが可能となる。
【００１３】
また、昇圧回路の動作をデータの１ビットのデータ間で複数回行うと共に、データ出力より早いタイミングで動作させるよう構成することにより、送信データの出力遅延の低減と、送信データの電圧を安定化することが可能となる。
【００１４】
更に、昇圧回路の動作を出力データを送信している間行うよう構成することにより、昇圧の制御を容易に行うことが可能となる。
【００１５】
【実施例】
本発明の実施例を図面に基づいて説明する。
【００１６】
（実施例１）
本発明の実施例１の通信装置を図１のブロック図を用いて説明する。
【００１７】
図１において、１は通信装置であり無線や有線を介して外部との通信の制御を行う通信処理部４、通信処理部で受信したデータの解析や通信処理部４への送信データを生成するデータ処理部により構成される。更に、端子Ｍ１，Ｍ２には図示しないがガスメータなどの端末機器１１が接続され、メータインタフェース部６を介してデータ処理部６に接続される。また、端末機器１１からのデータ受信用の受信バッファ８、端末機器へのデータ出力用の送信バッファ７が接続されている。また、送信バッファ７の電源端子７ｄには昇圧回路１２の出力端子１２ｂが接続され、前記各回路の４ａ、５ａ、６ａ、８ａ、１２ａへは電池９から電源が供給される。
【００１８】
上記構成において、通信処理部４が外部からデータを受信すると、通信処理部４で受信したデータはデータ処理部５により電文の解析が行われ、必要に応じてメータインタフェース部６、送信バッファ７を介して端末機器１１へデータが送信される。また、このデータ送信に応答して端末機器１１からデータが送信され所定の動作を行うよう構成されている。
【００１９】
図２に上記動作時の各部の波形を示す。図２（ａ）はメータインタフェース部６の出力端子６ｂの波形であり端末機器１１への送信データである。ハイレベルの電圧Ｖ１は電池９の電圧に近い値である。図２（ｂ）はメータインタフェース部６の出力端子６ｄの波形であり、ハイレベルの時に昇圧回路１２を動作させる。図２（ｃ）は昇圧回路１２の出力端子１２ｂの波形であり電圧Ｖ２は電圧Ｖ１より高い値になっている。また、図２（ｄ）は出力バッファ７の出力端子７ｃの電圧でありデータのハイレベルは電圧Ｖ２になっている。更に図２（ｅ）はメータインタフェース部６の入力端子６ｃの波形であり端末機器１１からの応答信号を表している。
【００２０】
（実施例２）
図３は昇圧回路１２の詳細を示す図である。昇圧回路１２はダイオード１２ｃ、コンデンサ１２ｄ、抵抗１２ｅ、メータインタフェース部６の出力６ｄによって制御されるスイッチ１２ｆにより構成される。スイッチ１２ｆがオフ時にコンデンサ１２ｄは電池９、ダイオード１２ｃ、抵抗１２ｅを介して充電され、約電池９の電圧になっている。この状態でスイッチ１２ｆがオン状態になるとコンデンサ１２ｄの抵抗１２ｅ側の電圧が電池の電圧になるため、コンデンサ１２ｄのダイオード１２ｃ側の電圧はそれまでコンデンサに充電されていた電圧が電池９の電圧に加算されることになり、電池９の電圧の約２倍の電圧が発生する。尚、ダイオード１２ｃは昇圧された電圧が電池９へ放電しないようにするためのものである。
【００２１】
次に図４（ａ）〜（ｅ）に上記動作の波形を示す。図４（ａ）はメータインタフェース部６の出力端子６ｂの波形であり端末機器１１への送信データである。ハイレベルの電圧Ｖ１は電池９の電圧に近い値である。図４（ｂ）はメータインタフェース部６の出力端子６ｄの波形であり、ハイレベルの時に昇圧回路１２を動作させる。図４（ｃ）は昇圧回路１２の出力端子１２ｂの波形であり電圧Ｖ２は電圧Ｖ１より高い値になっている。また、昇圧回路１２の電圧はコンデンサ１２ｄの放電のため電圧Ｖ３に低下するが、次のメータインタフェース部からの信号により再度電圧Ｖ３に昇圧される。図４（ｄ）は出力バッファ７の出力端子７ｃの電圧でありデータのハイレベルは電圧Ｖ２からＶ３になっている。更に図４（ｅ）はメータインタフェース部６の入力端子６ｃの波形であり端末機器１１からの応答信号を表している。
【００２２】
（実施例３）
図５（ａ）〜（ｄ）はインタフェース部６から昇圧回路１２を制御する方法を変えたものである。図５（ａ）はメータインタフェース部６の出力端子６ｂの波形であり端末機器１１への送信データである。ハイレベルの電圧Ｖ１は電池９の電圧に近い値である。図５（ｂ）はメータインタフェース部６の出力端子６ｄの波形であり、ハイレベルの時に昇圧回路１２を動作させる。この図５（ｂ）の波形のハイレベルになるタイミングは図５（ａ）のデータのハイレベルより早くなっており、昇圧回路１２の出力は図５（ｃ）のようになる。また送信バッファ７の出力端子７ｃの波形を図５（ｄ）に示す。また、出力バッファ７がハイレベルを出力する時に既に電源が昇圧されているため、出力波形図５（ｄ）のハイレベルの立ち上がりの遅延が少なくなる。
【００２３】
（実施例４）
図６（ａ）〜（ｄ）はインタフェース部６から昇圧回路１２を制御する方法を変えたものである。図６（ａ）はメータインタフェース部６の出力端子６ｂの波形であり端末機器１１への送信データである。ハイレベルの電圧Ｖ１は電池９の電圧に近い値である。図６（ｂ）はメータインタフェース部６の出力端子６ｄの波形であり、ハイレベルの時に昇圧回路１２を動作させる。前記図６（ａ）の送信データのハイレベルの期間、出力端子に出力データより幅の短いタイミングのパルスを出力させる。
【００２４】
昇圧回路１２の出力は図６（ｃ）のようになり、図６（ｃ）の電圧Ｖ３は図４（ｃ）の電圧Ｖ３より高い値になっている。
【００２５】
（実施例５）
図７（ａ）〜（ｄ）はインタフェース部６から昇圧回路１２を制御する方法を変えたものである。図７（ａ）はメータインタフェース部６の出力端子６ｂの波形であり端末機器１１への送信データである。ハイレベルの電圧Ｖ１は電池９の電圧に近い値である。図７（ｂ）はメータインタフェース部６の出力端子６ｄの波形であり、ハイレベルの時に昇圧回路１２を動作させる。前記図７（ａ）の送信データがハイレベルになる前から、出力端子に出力データより幅の短いタイミングのパルスを出力させる。昇圧回路１２の出力は図７（ｃ）のようになり、図７（ｃ）の電圧Ｖ３は図４（ｃ）の電圧Ｖ３より高い値になっている。また、送信波形図７（ｄ）のハイレベルの立ち上がりの遅延が少なくなる。
【００２６】
（実施例６）
図８（ａ）〜（ｄ）はインタフェース部６から昇圧回路１２を制御する方法を変えたものである。図８（ａ）はメータインタフェース部６の出力端子６ｂの波形であり端末機器１１への送信データである。ハイレベルの電圧Ｖ１は電池９の電圧に近い値である。図８（ｂ）はメータインタフェース部６の出力端子６ｄの波形であり、ハイレベルの時に昇圧回路１２を動作させる。前記図７（ａ）の送信データがハイレベルになる前から、出力データが終了するまで出力端子６ｄに出力データより幅の短いタイミングのパルスを出力させる。昇圧回路の動作が頻繁に且つ出力データがローレベルの時にも行うことから、で昇圧回路１２の出力は図８（ｃ）のようになり、電圧Ｖ２は図６（ｃ）の電圧Ｖ２より高い電圧になる。
【００２７】
【発明の効果】
このように本発明によれば、データ送信実行時に電池の電圧を昇圧して端末機器との送信バッファに電源を供給する昇圧回路部を備えることにより回路の電源電圧を１種類にすることが可能となる。
【００２８】
また、昇圧回路部をデータの出力ビットに同期してコンデンサの充電電圧を電池に重畳させることにより簡略な回路で構成することが可能になる。
【００２９】
また、昇圧回路の動作をデータ出力より早いタイミングで動作させるようにすることにより送信データの出力遅延を低減することが可能となる。
【００３０】
また、昇圧回路の動作をデータの１ビットのデータ間で複数回行うよう構成することにより、送信データの電圧を安定化させることが可能となる。
【００３１】
また、昇圧回路の動作をデータの１ビットのデータ間で複数回行うと共に、データ出力より早いタイミングで動作させるよう構成することにより、送信データの出力遅延の低減と、送信データの電圧を安定化することが可能となる。
【００３２】
更に、昇圧回路の動作を出力データを送信している間行うよう構成することにより、昇圧の制御を容易に行うことが可能となる。
【図面の簡単な説明】
【図１】本発明の実施例１の通信装置を示す要部ブロック図
【図２】同装置における要部タイミングチャート
【図３】本発明の実施例２の通信装置を示す要部ブロック図
【図４】同装置における要部タイミングチャート
【図５】本発明の実施例３における通信装置の要部タイミングチャート
【図６】本発明の実施例４における通信装置の要部タイミングチャート
【図７】本発明の実施例５における通信装置の要部タイミングチャート
【図８】本発明の実施例６における通信装置の要部タイミングチャート
【図９】従来の通信装置の要部ブロック図
【図１０】従来の通信装置の要部タイミングチャート
【符号の説明】
１　通信装置
２　電話回線
３　電話機
４　通信処理部
５　データ処理部
６　メータインタフェース部
７　送信バッファ
８　受信バッファ
９、１０　電池
１１　端末機器
１２　昇圧回路
【図１】
2004096672.tif 000003
【図２】
2004096672.tif 000004
【図３】
2004096672.tif 000005
【図４】
2004096672.tif 000006
【図５】
2004096672.tif 000007
【図６】
2004096672.tif 000008
【図７】
2004096672.tif 000009
【図８】
2004096672.tif 000010
【図９】
2004096672.tif 000011
【図１０】
2004096672.tif 000012